(57)【特許請求の範囲】
【請求項１】
コンクリート基礎内に上面が開口したさや管を埋め込み、該さや管の上面から柱を差し
込んで隙間にグラウトを充填することによりコンクリート基礎に柱を固定するためのさや
管において、
前記さや管の外側面は、コンクリート基礎梁側に面する前側と、コンクリート基礎梁側
と直交する二方向にそれぞれ面する両側とを有し、コンクリート基礎梁から延びる梁主筋
が接続される少なくとも１つの接続手段が外側面に設けられ、
前記梁主筋は、コンクリート基礎梁から水平方向に延びて、少なくとも前記さや管のコ
ンクリート基礎梁側と直交する二方向にそれぞれ面する両側近くを延び、前記接続手段は
、前記さや管のコンクリート基礎梁側に面する前側以外の外側面に設けられて前記梁主筋
が接続されることを特徴とする埋込型柱脚のさや管。
【請求項２】
前記さや管の内側面から軸方向に向かう方向にそれぞれ突出するように間隔を空けて周
接され、前記柱が差し込まれたときに前記柱の外側面にそれぞれ当接して、前記柱の外側
面が前記さや管の内側面から離反する方向にそれぞれ前記柱を附勢する複数の振れ止め防
止具をさらに備えた請求項１に記載の埋込型柱脚のさや管。
【請求項３】
前記柱は角柱であり、前記複数の振れ止め防止具は４個備えられており、前記角柱の４
つの側面にそれぞれ当接する請求項２に記載の埋込型柱脚のさや管。
【請求項４】
前記複数の振れ止め防止具は、それぞれ概形がくの字型を形成するように曲げられた鋼
板製であり、くの字型の一方の直線部分を、他方の直線部分が下方を向く姿勢になるよう
に、前記さや管の内側面に溶接してなる請求項２又は３に記載の埋込型柱脚のさや管。
【請求項５】
前記さや管は、前記さや管内における前記柱の水平方向の位置を調整することができ、
脱着可能な柱位置決め機構を有する請求項１乃至４の何れかに記載の埋込型柱脚のさや管
。
【請求項６】
前記さや管は角柱状であり、前記梁主筋は前記コンクリート基礎梁から水平方向に平行
な２本で一組の梁主筋であって、前記一組の梁主筋の先端は前記コンクリート基礎梁から
最も離れた奥の外側面を超える位置に達し、
前記接続手段は、前記さや管の前記奥の外側面に設けられ、前記さや管の前記左右の外
側面を超えて両端が延び、該両端近くにおいて前記一組の梁主筋の先端近くがそれぞれ接
続される請求項１乃至５の何れか記載の埋込型柱脚のさや管。
【請求項７】
前記さや管は角柱状であり、前記梁主筋は前記さや管の前記コンクリート基礎梁に最も
近い手前の外側面に隣接する前記さや管の左右の外側面の何れか一方の近くを通り、前記
さや管の前記コンクリート基礎梁から最も離れた奥の外側面と前記左右の外側面の何れか
一方との接続部で水平方向に直角に曲がって前記奥の外側面近くを通り、前記奥の外側面
と前記左右の外側面の何れか一方に対向する左右の外側面の他方との接続部で水平方向に
直角に曲がって前記左右の外側面の他方近くを通り、前記コンクリート基礎梁に延びるＵ
字型の梁主筋であり、
前記接続手段は、前記さや管の前記左右の外側面の両方に設けられ、前記Ｕ字型の梁主
筋の前記さや管の前記左右の外側面の両方近くを延びる部分がそれぞれ差し込まれて接続
される請求項１乃至５の何れか記載の埋込型柱脚のさや管。
【請求項８】
前記さや管は角柱状であり、前記梁主筋は前記コンクリート基礎梁から水平方向に平行
な２本で一組の梁主筋であって、前記一組の梁主筋は前記さや管の左右の外側面近くを、
前記一組の梁主筋の先端が前記コンクリート基礎梁から最も離れた奥の外側面に至らない
位置まで延び、
前記接続手段は、前記さや管の前記左右の外側面の両方に設けられ、前記さや管の前記
左右の外側面近くにおいて前記一組の梁主筋の先端近くがそれぞれ接続される請求項１乃
至５の何れか記載の埋込型柱脚のさや管。
【発明の詳細な説明】
【技術分野】
【０００１】
本発明は、建築物の柱の下端部をコンクリート基礎に埋め込む埋込型柱脚において、コンクリート基礎内に予めセットしておき、上面の開口から柱を挿入して隙間にグラウトを充填して固定するためのさや管に関し、特に柱の側面抜出を防止することができる埋込型柱脚のさや管に関する。
【背景技術】
【０００２】
建築物（工作物を含む。）の柱は、地中若しくは地上の低い位置に打設されたコンクリート基礎上に立てられる。柱の下端近くの柱脚部はさまざまな方法でコンクリート基礎に対し固定される。このうち埋込型柱脚は、柱脚部をコンクリート基礎の中に埋め込む方法であるが、従来は地中に掘った穴の中に、柱型主筋が立設して露出している途中の高さまでコンクリート基礎を打ち、柱型主筋の立ち並ぶ間に長い柱を設置して、残りのコンクリート基礎を打って柱型主筋と柱脚部を埋めるようにしていた。このような方法によると、アンカーボルトを利用した場合に比較して、コンクリート基礎の水平方向及び垂直方向のサイズを小さくできるという利点がある一方、地面に穴を開けた状態で長い柱を立てる作業を行うことになり、作業効率が悪く、危険を伴っていた。柱をコンクリート基礎が完成した後に立てるために利用されるのがさや管であり、これはコンクリート基礎の上面に開口するようにコンクリート基礎内に予めセットされる柱よりも一回り太い管で、さや管の中に柱が挿入されて隙間にグラウトを充填することにより埋込型柱脚を構築することができる。このようなさや管を利用した埋込型柱脚は、柱に曲げ応力がかかると、柱の下端が水平方向に突き出てコンクリート基礎を破損する柱の側面抜出の生ずるおそれがある。特開平５−１９５５３９号公報には、箱抜き型埋込柱脚の型枠２をリブ付鋼板とすることにより、リブ付鋼板のリブ４によって型枠２と充填剤３とを強力に固着させる構成が開示されている。特開２００４-１１６１９９には、鉄骨柱１１の下端部１１ａには仲介連結部材１８が嵌め込まれて溶接され、仲介連結部材１８の両端に形成されたネジ穴に、主鉄筋１６の端部に形成された雄ねじがネジ結合している構成が開示されている。特開２００９-２３５８７１には、鉄骨柱４の下端部４ａには仲介連結部材８が嵌合されて溶接されており、仲介連結部材８には上下方向に貫通する掛止用孔１０が形成されており、主鉄筋１２の端部を折り曲げた折り曲げ部１２ａが上方から差し込まれて掛止される構成が開示されている。特開２００８−２１０９公報には、基礎に埋め込んだアンカーボルトの突出部をベースプレートのアンカーボルト挿入用孔に挿入し、ナットで締め付ける柱脚部の構造が開示されている。
【先行技術文献】
【特許文献】
【０００３】
【特許文献１】特開平５−１９５５３９号公報
【特許文献２】特開２００４−１１６１９９公報
【特許文献３】特開２００９−２３５８７１公報
【特許文献４】特開２００８-２１０９公報
【発明の開示】
【発明が解決しようとする課題】
【０００４】
よって本発明の目的は、柱の側面抜出を防止することができる埋込型柱脚のさや管を提供することにある。
本発明の他の目的は、柱が振れることなく短時間で柱の建て込み作業を行うことのできる埋込型柱脚のさや管を提供することにある。
本発明のさらに他の目的は、さや管に挿入された柱の水平方向についての位置決めを行うことにより高い柱芯精度を得ることができる埋込型柱脚のさや管を提供することにある。
【課題を解決するための手段】
【０００５】
上記目的を達成するために本発明は、コンクリート基礎内に上面が開口したさや管を埋
め込み、該さや管の上面から柱を差し込んで隙間にグラウトを充填することによりコンク
リート基礎に柱を固定するためのさや管において、  前記さや管の外側面は、コンクリー
ト基礎梁側に面する前側と、コンクリート基礎梁側と直交する二方向にそれぞれ面する両
側とを有し、コンクリート基礎梁から延びる梁主筋が接続される少なくとも１つの接続手
段が外側面に設けられ、前記梁主筋は、コンクリート基礎梁から水平方向に延びて、少な
くとも前記さや管のコンクリート基礎梁側と直交する二方向にそれぞれ面する両側近くを
延び、前記接続手段は、前記さや管のコンクリート基礎梁側に面する前側以外の外側面に
設けられて前記梁主筋が接続されるように埋込型柱脚のさや管を構成した。
【０００６】
本発明に係る埋込形柱脚のさや管においては、コンクリート基礎内に埋め込まれたさや管の外側面には少なくとも１つの接続手段が設けられており、コンクリート基礎梁から延びる梁主筋が接続されている。従って、さや管に差し込まれて固定された柱に、地震などの際に大きな曲げ応力が生じたとしても、さや管に接続されている梁主筋が、柱からさや管に伝達される応力に対抗する。なおさや管が差し込まれる柱は角柱状、円柱状、Ｈ型鋼等、さまざまな横断面形状のものが適応可能だが、さや管は柱の横断面の外形とほぼ同様の形状で一回り大きい横断面形状の内周面を有していることが好ましい。
【０００７】
また本発明は、前記さや管の内側面から軸方向に向かう方向にそれぞれ突出するように間隔を空けて周設され、前記柱が差し込まれたときに前記柱の外側面にそれぞれ当接して、前記柱の外側面が前記さや管の内側面から離反する方向にそれぞれ前記柱を附勢する複数の振れ止め防止具をさらに備えている。
【０００８】
柱をクレーン等で吊り下げて柱をさや管に差し込むと、柱の外周面がさや管の内側面から軸方向に向かう方向に突出するように間隔を空けて周設された複数の振れ止め防止具に当接する。複数の振れ止め防止具は、柱の外側面がさや管の内側面から離反する方向に柱を附勢するので、柱はさや管内で振れることがなく、かつ柱をさや管とは軸芯が一致した水平方向の位置に精度良く建てることができる。柱が角柱であれば、複数の振れ止め防止具は４個備えられており、角柱の４つの側面にそれぞれ当接するように構成してもよい。このような複数の振れ止め防止具は、それぞれ概形がくの字型を形成するように曲げられた鋼板製であり、くの字型の一方の直線部分を、他方の直線部分が下方を向く姿勢になるように、さや管の内側面に溶接することにより構成することが可能である。またさや管は、さや管内における柱の水平方向の位置を調整することができ、脱着可能な柱位置決め機構を有するように構成することもできる。
【０００９】
さらに本発明は、前記さや管は角柱状であり、前記梁主筋は前記コンクリート基礎梁か
ら水平方向に平行な２本で一組の梁主筋であって、前記一組の梁主筋の先端は前記コンク
リート基礎梁から最も離れた奥の外側面を超える位置に達し、前記接続手段は、前記さや
管の前記奥の外側面に設けられ、前記さや管の前記左右の外側面を超えて両端が延び、該
両端近くにおいて前記一組の梁主筋の先端近くがそれぞれ接続されるように埋込型柱脚の
さや管を構成した。
【００１０】
さらにまた本発明は、前記さや管は角柱状であり、前記梁主筋は前記さや管の前記コン
クリート基礎梁に最も近い手前の外側面に隣接する前記さや管の左右の外側面の何れか一
方の近くを通り、前記さや管の前記コンクリート基礎梁から最も離れた奥の外側面と前記
左右の外側面の何れか一方との接続部で水平方向に直角に曲がって前記奥の外側面近くを
通り、前記奥の外側面と前記左右の外側面の何れか一方に対向する左右の外側面の他方と
の接続部で水平方向に直角に曲がって前記左右の外側面の他方近くを通り、前記コンクリ
ート基礎梁に延びるＵ字型の梁主筋であり、前記接続手段は、前記さや管の前記左右の外
側面の両方に設けられ、前記Ｕ字型の梁主筋の前記さや管の前記左右の外側面の両方近く
を延びる部分がそれぞれ差し込まれて接続されるように埋込型柱脚のさや管を構成した。
【００１１】
さらにまた本発明は、前記さや管は角柱状であり、前記梁主筋は前記コンクリート基礎
梁から水平方向に平行な２本で一組の梁主筋であって、前記一組の梁主筋は前記さや管の
左右の外側面近くを、前記一組の梁主筋の先端が前記コンクリート基礎梁から最も離れた
奥の外側面に至らない位置まで延び、前記接続手段は、前記さや管の前記左右の外側面の
両方に設けられ、前記さや管の前記左右の外側面近くにおいて前記一組の梁主筋の先端近
くがそれぞれ接続されるように埋込型柱脚のさや管を構成した。
【発明の効果】
【００１２】
以上のように本発明に係る埋込型柱脚のさや管によれば、さや管の側面に梁主筋が接続されるので、さや管に挿入された柱の側面抜出を防止することができる。
【図面の簡単な説明】
【００１３】
【図１】図１は、本発明に係る埋込型柱脚のさや管の第１の実施の形態を使用した建築物の柱脚部を、コンクリートの一部を切り欠いて示す平面図である。
【図２】図２は、図１の建築物の柱脚部を示す正面図である。
【図３】図３は、図１の第１の実施の形態に係る埋込型柱脚のさや管を示す平面図である。
【図４】図４は、図１の第１の実施の形態に係る埋込型柱脚のさや管に柱位置決め機構が取り付けられた状態を示す平面図である。
【図５】図５は、図１の第１の実施の形態の内部構造をさや管及び柱の一部を切り欠いて示す正面図である。
【図６】図６は、本発明に係る埋込型柱脚のさや管の第２の実施の形態を使用した図１と同様の図である。
【図７】図７は、図６の建築物の柱脚部を示す正面図である。
【図８】図８は、本発明に係る埋込型柱脚のさや管の第３の実施の形態を使用した図１と同様の図である。
【図９】図９は、図８の建築物の柱脚部を示す正面図である。
【発明を実施するための形態】
【００１４】
以下、図面を参照しつつ本発明に係る建築物の柱脚部及びその固定方法の最良の形態について詳細に説明する。なお、以下の説明は発明をより深く理解するためのものであって、特許請求の範囲を限定するためのものではない。
【００１５】
［第１の実施の形態］
図１，２は本発明に係る埋込型柱脚のさや管の第１の実施の形態を使用した建築物の柱脚部を示す。各図において、上面が開口した角柱型のさや管１０は、さや管１０よりも太い角柱型のコンクリート製の基礎柱型２０内に埋め込まれている。基礎柱型２０の側方にはコンクリート製の基礎梁３０、４０がそれぞれ接続されている。各基礎梁３０、４０内には、それぞれ８本の梁主筋５０、６０が、水平方向に平行な２本一組で、上下方向に間隔を空けて４組が走っていて、基礎柱型２０内まで延びている。各梁主筋５０、６０にはそれぞれあばら筋７０が架け渡されている。基礎柱型２０の下方には、順に柱下無収縮モルタル層８８、フーチング基礎８０、捨てコンクリート８２、地業８４がそれぞれ設けられている（図１では省略）。フーチング基礎８０から基礎柱型２０にはさや管１０を取り囲むように複数の柱型主筋８６が延びているが、図２では説明のために図示を省略している。さや管１０には、上方から上面の開口に角柱である柱９０が差し込まれ、さや管１０と柱９０との隙間にグラウト１００が充填されることにより基礎柱型２０に柱９０が固定される。
【００１６】
さや管１０の外側面には、各梁主筋５０、６０が接続される曲げ拘束金具１２が取り付けられている。曲げ拘束金具１２はさや管１０の外側面に倣った形状の面において溶接され、さや管１０の１つの外側面を左右方向に横切るように配置されており、両端に設けられた差込孔１４、１４に、先端に雄ねじが切られた１組の梁主筋５０、６０が差し込まれ、先端がナット１５で止められて接続されることで、梁主筋５０、６０がさや管１０を拘束する。すなわち、説明のために仮に基礎梁３０を手前側とすると、１組の梁主筋５０は基礎梁３０からさや管１０の左右の外側面１６２、１６４近くを延び、梁主筋５０の先端は基礎梁３０から最も離れた奥の外側面１６６を超える位置に達する。曲げ拘束金具１２はさや管１０の奥の外側面１６６に溶接され、左右の外側面１６２、１６４を超えて両端が延び、該両端の差込孔１４、１４に差し込まれてナット１５で止められることにより、１組の梁主筋５０の先端がそれぞれ接合される。なお曲げ拘束金具１２は柱９０の側面抜出を主たる目的としているのであるから、図示のような建築物の角に建てられる柱９０について、基礎柱型２０の基礎梁３０、４０に接続していない側面に柱９０が抜出しないように、奥の外側面１６６及び左の外側面１６４にのみ取り付けられている。図示の建築物の他の角の柱には図示のさや管１０と同様に２つの隣接する外側面に曲げ拘束金具１２が取り付けられており、他の柱には屋外に面した外側面にのみ取り付けられ、あるいは１つも取り付けられていなくともよい。
【００１７】
図３によく示されているように、さや管１０の開口した上面からは、上面が開口した雌ねじの切られた４つの位置決めボルト受け１７が径方向外側向きに突出しており、これに位置決め装置１７１が着脱可能に取り付けられる。各位置決めボルト受け１７は２つ一組で平面視略正方形のさや管１０の対向する頂点を挟んで配置され、各組について一つずつ、位置決め装置１７１が取り付けられる。図４に示すように、各組の位置決めボルト受け１７に、それぞれ平面視Ｌ字型の下方位置決め板１７２と上方位置決め板１７４を重ねて、４本のボルト１７６をワッシャ１７７及び長孔１７８、１７９を通して止めることにより、さや管１０内における柱９０の水平方向の位置決めを行う位置決め装置１７１が構成される。上方位置決め板１７４のＬ字型の柱１９に接する内側の縁は、柱１９の頂点を含む外側面に倣った形状であり、上方位置決め板１７４の２つの長孔１７８は図４視上下方向に、下方位置決め板１７２の長孔１７９は図４視左右方向に、相互に直交するように延びているので、各ボルト１７６を緩めた状態では上方位置決め板１７４は図４視上下左右方向に動くことができる。よって、さや管１０に柱９０を挿入する工程においては、２枚の上方位置決め板１７４を、柱９０の外側面に当接させつつ、上下左右方向に動かすことにより、柱９０の水平位置を調整することができる。柱９０の位置が決まったら、ボルト１７６を締めて柱９０の位置を固定し、その後の工程でグラウト１００が固化したら、ボルト１７６を外して位置決め装置１７１を取り外すことができる。
【００１８】
図５によく示されているように、さや管１０の４つの内側面それぞれには、軸方向に向かう方向に突出する振れ止め防止具１８が周設されている。４つの振れ止め防止具１８は概形がくの字型を形成するように曲げられた薄い鋼板製であり、くの字型の一方の直線部分を他方の直線部分が下方を向く姿勢になるように、さや管１０の内側面に溶接して構成されており、さや管１０の１つの内側面に溶接された振れ止め防止具１８のくの字型の自由端と、さや管１０の１つの内側面に対向する内側面に溶接された振れ止め防止具１８のくの字型の自由端との間隔は、柱９０の１つの外側面と該外側面に対向する外側面との間の距離よりも、少し大きい。従って、柱９０をクレーンで吊り下げてさや管１０に柱９０が差し込まれると、各振れ止め防止具１８は柱の外側面にそれぞれ当接して、柱９０の外側面がさや管１０の内側面から離反する方向にそれぞれ柱９０を附勢するので、柱の振れが短時間で止まり、作業を効率よく行うことができる。また４つの振れ止め防止具１８がそれぞれ柱９０を均等に軸線方向に押すことにより、柱９０とさや管１０との軸線が一致する位置に柱９０が配置されることになるが、各振れ止め防止具１８の附勢する力は、位置決め装置１７１による位置決めの障碍になるほど大きくはなく、容易にくの字型が直線になる方向に柱９０を押し込むことが可能である。
【００１９】
さや管１０の底面には、柱９０の下面を閉塞するベースプレート９２の下面との間に配置されて、柱９０のレベルを調整するレベル調整プレート１９が配置されている。他の実施例においては、柱９０に引き抜き応力が生ずる場合に、柱９０がさや管１０から抜けたりさや管１０が基礎柱型２０から抜けたりするのを防止するために、さや管１０の内側面及び外側面に、適宜異形鉄筋等を溶接しておいてもよい。
【００２０】
さや管１０は建築構造用鋼材製であり、ＪＩＳ規格ではＳＴＫＲ４００製である。他の実施の形態においては、建築物の柱は円柱であって、さや管も建築物の柱よりもやや径の大きい円柱形状のＳＴＫ４００製である。さや管１０の底面はＳＳ４００のプレートが溶接されて閉塞される。曲げ拘束金具１２はＳＭ４９０のプレートを切削加工して作成される。グラウト１００は無収縮モルタルである。梁主筋５０、６０は、通常の異形鉄筋の先端に雄ねじを加工したものである。その他の鉄筋等は従来使用されている材料性である。さや管１０と柱９０との隙間は、大きすぎるとグラウト１００が曲げ応力を負担することになるので、両者が軸線をほぼ共通にして配置されたときに５０ｍｍ以下であることが好ましいが、小さすぎると柱９０の水平方向の位置決めをできる範囲も小さくなるため、調整代として１０ｍｍ以上設けることが好ましい。
【００２１】
次に本実施の形態の作用について説明する。
【００２２】
地業８４の上に捨てコン８２を打つまでは通常の工程と同様である。次に、捨てコン８２の上にさや管１０を固定する。さや管１０は、図示しないアンカーフレームを捨てコン８２の上に配置し、その上に載せて固定される。さや管１０を固定した後、各梁主筋５０、６０を曲げ拘束金具１２の差込孔１４に差込み、ナット１５を螺合して先端を止める。その他の柱型主筋８６やあばら筋７０等の配筋も完了したら、さや管１０の開口に板で蓋をして、型枠を建て込み、基礎フーチング８０、基礎柱型２０及び基礎梁３０、４０をコンクリート打設する。この状態で埋め戻しを行った後、建物の１階床コンクリートを施工する。これにより、さや管を利用しない他の工法では床から突設している柱やアンカーボルトや鉄筋等のない、作業性のよい平坦な１階床が完成する。
【００２３】
基礎打設工程が終了後、工場においてベースプレート９２を溶接した柱９０が搬入される。柱の納品が基礎打設時ではなく基礎打設後で足りることもさや管を利用した工法の利点の一つである。柱９０はクレーンで吊り下げられてさや管１０に差し込まれるが、振れ止め防止具１８により短時間で振れを止めることができる。レベル調整プレート１９の高さを調整するとともに、位置決め装置１７１により水平位置を調整することにより、床高さで柱芯位置を精度良く定めることができる。柱芯位置が決まったら位置決め装置１７１のボルト１７６を締めて柱９０を固定する。この状態で上階の梁を接合すると、概ね精度良く骨組みが組み上がる。組み立て完了後、さや管１０と柱９０との間にグラウト１００を充填し、強度が発現したらボルト１７６を緩めて位置決め装置１７１を取り外して建方が完了する。
【００２４】
以上のような第１の実施の形態に係る埋込型柱脚のさや管によれば、基礎に埋め込まれたさや管１０には梁主筋５０、６０が接続されているので、柱９０に曲げ応力が生じたとしても、曲げ拘束金具１２に接続された梁主筋５０、６０が曲げ応力に対抗することにより、柱９０の側面抜出を防止することができる。また、曲げ拘束金具１２は、基礎梁３０、４０からさや管１０を挟んで延びる梁主筋５０、６０の組を奥の外側面で拘束するので応力伝達性に優れており、さらに配筋時には曲げ拘束金具１２の差込孔１４に梁主筋５０、６０を差し込んでナット１５で止めるのみなので、作業性も良好である。
【００２５】
［第２の実施の形態］
図６、７に本発明に係る本発明に係る埋込型柱脚のさや管の第２の実施の形態を使用した建築物の柱脚部を示す。各図において、図１〜５に図説した部材と同様の作用を奏する部材には、同じ符号を付して示すとともに、詳細な記述を省略する。
【００２６】
図６、７において、柱９０は基礎柱型２０に上面の開口を上方にして埋め込まれたさや管２１０に差し込まれ、グラウト１００が隙間に充填されて固定されている。第１の実施の形態と同様に、柱９０は角柱であり、さや管２１０も柱９０よりもやや径の大きい角柱状である。基礎梁３０、４０からそれぞれ４本ずつ水平に延びる梁主筋２５０、２６０は平面視Ｕ字型であり、Ｕ字型の底の部分がさや管２１０の幅よりもやや大きい。すなわち基礎梁３０を手前方向とすると、梁主筋２５０は基礎梁３０から水平方向奥方向に延びて、基礎梁３０に最も近い手前の外側面２６８に隣接するさや管２１０の左右の外側面２６２、２６４の何れか一方の近くを通り、基礎梁３０から最も離れた奥の外側面２６６と左右の外側面２６２、２６４の何れか一方との接続部で水平方向に直角に曲がって奥の外側面２６６近くを通り、奥の外側面２６６と左右の外側面２６２、２６４の何れか一方に対向する左右の外側面２６２、２６４の他方との接続部で水平方向に直角に曲がって左右の外側面２６２、２６４の他方近くを通り、基礎梁３０に戻るＵ字型である。
【００２７】
Ｕ字型の梁主筋２５０、２６０が接続されるＵ字型鉄筋受けソケット２１２は、さや管２１０の外側面に溶接されており、基礎梁３０を手前方向とすると、左右の外側面２６２、２６４の両方に左右一組で４組が設けられている。同様に基礎梁４０から延びる梁主筋２６０に対しても、奥及び手前の外側面２６６、２６８の両方に４組が設けられている。Ｕ字型鉄筋受けソケット２１２は円筒状であって、梁主筋２５０、２６０を差し込むことができる。
【００２８】
施工の過程は第１の実施の形態とほぼ同様であるが、さや管２１０を固定した後の配筋作業において、各Ｕ字型鉄筋受けソケット２１２にそれぞれ梁主筋２５０、２６０が差し込まれることにより、梁主筋２５０、２６０とさや管２１０とが接続される。
【００２９】
以上のような第２の実施の形態に係る埋込型柱脚のさや管によれば、基礎に埋め込まれたさや管２１０に梁主筋２５０、２６０が接続されて、柱９０に生じた曲げ応力に対抗し、柱９０の側面抜出を防止する。また、配筋作業は梁主筋２５０、２６０をＵ字型鉄筋受けソケット２１２に差し込むのみで、作業性が良好であり、また構成がシンプルで安価に製造できる。
【００３０】
［第３の実施の形態］
図８、９に本発明に係る本発明に係る埋込型柱脚のさや管の第３の実施の形態を使用した建築物の柱脚部を示す。各図において、図１〜５に図説した部材と同様の作用を奏する部材には、同じ符号を付して示すとともに、詳細な記述を省略する。
【００３１】
図８、９において、柱９０は基礎柱型２０に上面の開口を上方にして埋め込まれたさや管３１０に差し込まれ、グラウト１００が隙間に充填されて固定されている。第１の実施の形態と同様に、柱９０は角柱であり、さや管３１０も柱９０よりもやや径の大きい角柱状である。基礎梁３０、４０からそれぞれ延びる梁主筋３５０、３６０は水平方向に平行に並んだ２本１組であり、各基礎梁３０、４０から４組８本ずつ、垂直方向に並んで延びている。基礎梁３０を手前方向とすると、梁主筋３５０の組は、さや管３１０の左右の外側面３６２、３６４近くを通って延び、先端がさや管３１０の奥の外側面３６６に至る手前の位置に達している。梁主筋３５０の先端には雄ねじが加工されており、さや管３１２の左右の外側面３６２、３６４の両方に設けられたネジ鉄筋受付鞘３１２の雌ねじ孔に螺合される。
【００３２】
第３の実施の形態に係るさや管３１０は、さや管３１０を固定した後、各ネジ鉄筋受付鞘３１２にそれぞれ梁主筋３５０、３６０が差し込まれ、梁鉄筋３５０、３６０を回転させて螺合させることにより、梁主筋３５０、３６０とさや管３１０とが接続される配筋作業以外は、第１の実施の形態と同一の工程で施工される。
【００３３】
以上のような第３の実施の形態に係る埋込型柱脚のさや管によれば、基礎に埋め込まれたさや管３１０と梁主筋３５０、３６０が接続されて柱９０に生じた曲げ応力に対抗し、柱９０の側面抜出を防止することができる。
【００３４】
以上、本発明の実施の形態について説明したが、本発明は上記実施の形態によって限定されることはなく、本発明の要旨の範囲内において、適宜変形実施が可能であることは言うまでもない。
【符号の説明】
【００３５】
１０…さや管
１２…曲げ拘束金具
１４…差込孔
１５…ナット
２０…基礎柱型
３０、４０…基礎梁
５０、６０…梁主筋
９０…柱
１００…グラウト
【図１】
0005221748.tif 000002
【図２】
0005221748.tif 000003
【図３】
0005221748.tif 000004
【図４】
0005221748.tif 000005
【図５】
0005221748.tif 000006
【図６】
0005221748.tif 000007
【図７】
0005221748.tif 000008
【図８】
0005221748.tif 000009
【図９】
0005221748.tif 000010